(57)【要約】  本発明は、遠心ロータ（２）の閉鎖用カバー（４）であって、回転作動式の形状接続的な閉鎖機構（１２，１６，２２，２４）を備えており、該閉鎖機構が、遠心ロータ（２）に予め位置決めされて、当該カバー（４）の自重に基づきひとりでに閉鎖位置へと運動することを特徴とする、遠心ロータの閉鎖用カバーに関する。
2009537311.tif 000002
【特許請求の範囲】
【請求項１】
遠心ロータの閉鎖用カバーであって、回転作動式の形状接続的な閉鎖機構を備えており、該閉鎖機構が、遠心ロータに予め位置決めされて、当該カバーの自重に基づきひとりでに閉鎖位置へと運動することを特徴とする、遠心ロータの閉鎖用カバー。
【請求項２】
前記閉鎖機構が、ほぼ垂直な軸線を中心として回転作動するようになっている、請求項１記載のカバー。
【請求項３】
前記閉鎖機構がねじ山である、請求項１又は２記載のカバー。
【請求項４】
前記閉鎖機構が多条のねじ山である、請求項１から３までのいずれか１項記載のカバー。
【請求項５】
前記閉鎖機構が、カバーの完全閉鎖位置の係止手段を有している、請求項１から４までのいずれか１項記載のカバー。
【請求項６】
前記係止手段が形状接続式である、請求項１から５までのいずれか１項記載のカバー。
【請求項７】
前記閉鎖機構がバヨネットである、請求項１から６までのいずれか１項記載のカバー。
【請求項８】
前記閉鎖機構がカバーの中心に配置されている、請求項１から７までのいずれか１項記載のカバー。
【請求項９】
前記閉鎖機構が回動つまみを有している、請求項１から８までのいずれか１項記載のカバー。
【請求項１０】
前記閉鎖機構が片手で操作可能である、請求項１から９までのいずれか１項記載のカバー。
【請求項１１】
前記閉鎖機構が、遠心ロータにおけるカバーの閉鎖終端位置を音響的に知らせるようになっている、請求項１から１０までのいずれか１項記載のカバー。
【発明の詳細な説明】
【技術分野】
【０００１】
本発明は、遠心ロータの閉鎖用カバーに関する。
【０００２】
遠心機は、容器を遠心力に晒すことのできる装置である。ラボでは例えば、浮遊する固形物を試験管の底部に堆積させるためには、試験管内の懸濁液が取り扱われる。遠心機は一般に、ロータを被せ嵌めることのできる垂直な駆動軸を備えた回転駆動装置を有している。前記ロータには大抵複数のボックスが設けられており、これらのボックスに、遠心分離しようとする容器がそれぞれ挿入される。遠心機のロータは頻繁に交換可能であり、これにより、１ロータにおいて容器内容物を遠心分離する一方で、別のロータにはまず容器を装填するか、又は既に遠心分離された容器を備えて後処理の準備をすることができる。
【０００３】
例えば試験管は上面が開放した状態でロータに差し込まれるので、遠心分離時に容器をロータ内の液密な空間内に保持することは、とりわけ作動確実性を得るために役立つ。前記空間は、他方では簡単な装填のためにできるだけ良好に到達可能であることが望ましい。特にラボでは頻繁に複数の操作が同時に行われるにもかかわらず、遠心機は慎重に閉じられねばならないので、装置が最少の操作、最少の操作運動及びできるだけ片手のみで操作確実に使用可能であることは特に有利である。このことに関して公知の遠心機は改良を必要としている。
【０００４】
本発明の課題は、取り扱いが簡略化された遠心ロータの閉鎖用カバーを提供することである。
【０００５】
この課題は、本発明に基づき請求項１又は１１の特徴部に記載の構成を有するカバーにより解決される。本発明の有利な構成は、従属請求項に記載されている。
【０００６】
本発明による遠心ロータの閉鎖用カバーの特徴は、回転作動式の形状接続的な閉鎖機構にあり、この閉鎖機構は遠心ロータに予め位置決めされて、カバーの自重に基づきひとりでに閉鎖位置に運動する。有利な構成又は択一的な構成として、本発明によるカバーの閉鎖機構は、遠心ロータにおけるカバーの閉鎖終端位置を、特にスナップノイズ又はクリックノイズにより音響的に知らせる。
【０００７】
例えば、本発明によるカバーは、ほぼ垂直方向の軸線（有利にはロータの回転軸線）を中心として回転対称であり且つ（中央につまみを備えた調理鍋の蓋と同様に）カバーを上方からロータに被せ嵌めることのできる、中央の把持つまみを有していてよい。前記閉鎖機構が例えば十分に大きなリード角を有する運動ねじ山である場合は、カバーはねじ山の始点に予め位置決めされた後で、該カバーの自重に基づきひとりでに閉鎖位置へとねじ山内をガイドされて回転することができる。有利には当該閉鎖機構は、カバーが完全に閉鎖される位置の係止手段を、例えばねじ山の終端部に有している。つまりこのようにして、本発明による構成では、片手で把持つまみを持ってカバーを上方からロータに対して予め位置決めし、次いで把持つまみを放すことにより、カバーがひとりでに下方に向かってほぼ閉鎖された位置へと回転し、最後に前記把持つまみを更に数度だけ回動させて、カバーを液密に閉鎖された位置に係止することができる。
【０００８】
例えば係止前にカバーが、シール性を生ぜしめるシールに載置され、次いで例えば該シールのゴム弾性的な変形性に抗してピンで以て係止段部を越えて、係止アンダカット内に形状接続的に位置することにより、前記係止は形状接続式であってよい。
【０００９】
閉鎖機構としては、例えばレフレックスカメラにおける対物交換レンズに関して公知であり且つ広く普及している形式の、‐機能的にはある程度ねじ山と同様の‐バヨネットが設けられていてもよい。また、前記レフレックスカメラから公知の、係止解除用の操作レバーを備えたばね予負荷された係止手段も、原則として本発明によるカバーにすぐに用いることができる。
【００１０】
以下に、本発明の実施例を図面につき詳しく説明する。
【００１１】
図１には遠心ロータ２が示されており、この遠心ロータ２の上位には、該遠心ロータ２にユーザの手（図示せず）でカバー４が被せ嵌められる様子が描かれている。遠心ロータ２は、ロータ周面に１列で均等に配分された複数の穴又はボックス６を有しており、これらの穴又はボックス６には、それぞれ試験管（図示せず）の下部を斜め外向きにして差し込むことができる。前記ロータは、全体的に垂直方向軸線８を中心として回転対称であり且つ中心に垂直方向の中心孔９を有しており、この中心孔９を介して、ロータ２を遠心分離用の遠心駆動軸（図示せず）に被せ嵌めることができる。
【００１２】
試験管用のボックス６には、ロータ２の上面に設けられた大きな円形の開口１０を介して到達することができる。当該ボックス６は、中心のハブ１２を環状に取り囲む鉢形の室１１の半径方向外壁に位置している。
【００１３】
ハブ１２の下側には、遠心ロータ駆動軸用の孔９が配置されている。ハブ１２は前記開口１０から上方に向かってある程度円筒状に突出しており、そこでカバー４の閉鎖機構１４の重要な要素を形成している。即ち、上から見ると円形のカバー４は、上面中央に円筒状に上方に向かって突出した把持つまみ１６を有しており、この把持つまみ１６の下面は中空である、つまり、いわゆるカップ形又は帽子形を有している。カバー４を備えた前記つまみ１６は、例えば上方から把持して全体をハブ１２の上端部１８に載置し、これにより予め位置決めすることができる。更なる回転運動無しで、カバー４はまず一度その自重に基づき垂直方向軸線８に沿って垂直に下方に向かって、カップ形のつまみ１６で以てハブ１２の上端部１８を覆いつつ、前記カップ形のつまみ１６の半径方向内側に突出した、このカップ形のつまみ１６の内室２２の周面に均等に配分された３つのねじ山付きピン２０がハブ１２の上端部１８の上縁に接触するまで降下する。
【００１４】
このようにして予め位置決めされた状態で、カバー４はその自重に基づいて引き続き垂直方向軸線８に沿って下方に向かって降下し、この場合、３条のねじ山２４により、時計方向で回転運動させられる。ハブ１２に設けられた３条のねじ山２４は、図４の立体図において特に良好に認識することができる。当該の３条のねじ山２４は、図４を見ると３つの螺旋状の溝２４の形でハブ１２の周面に沿って螺旋状に下方に向かって延びている。溝２４は、カップ形のつまみ１６の内室に設けられたねじ山付きピン２０が挟まることなく案内されて、当該溝２４内を走行することができるような広さを有している。つまり、カバー４はその自重に基づきひとりでに垂直方向軸線８を中心として回転しながら、当該カバー４の下面の最外縁に設けられたOリングシール２６がロータ開口１０の上縁部に接触するまで、下方に向かって運動する。ロータ２に接したカバー４のこの位置は、図２において認識することができる。
【００１５】
この位置において初めて、ユーザはロータ２におけるカバー４の液密な閉鎖を終了させるべく、カバーの上面に設けられたつまみ１６を再度把持し且つ当該カバー４をロータ２に係止するために数度だけ回動させる必要がある。それというのも図４から判るように、３条のねじ山の溝２４は閉鎖機構として、その下端部にねじ山付きピン２０のための係止位置２７を、段部２８の後ろに有しているからである。ねじ山付きピン２０がねじ山２４内を案内されながら、カバー４が引き続き能動的に回転されることにより、ねじ山付きピン２０は、ロータ開口１０の外縁部に設けられたシール溝３０に液密に押し込まれるゴム弾性的なシール２６の予負荷に抗して前記段部又は突出部２８を乗り越える。この場合、ねじ山付きピン２０は前記突出部２８の後方で、ねじ山２４の端部に位置する係止位置２７において形状接続的に係止されて、即ち当該係止位置２７においてねじ山２４の端部に嵌合して位置している。
【図面の簡単な説明】
【００１６】
【図１】遠心ロータ及び該遠心ロータ用のカバーを断面して側方から見た図である。
【図２】図１に示した遠心ロータを、（ほぼ）閉じられた位置にあるカバーと一緒に断面して側方から見た図である。
【図３】図１に示したカバーを備えた遠心ロータの立体的な断面図である。
【図４】図１に示した遠心ロータの閉鎖機構の立体図である。
【図１】
2009537311.tif 000003
【図２】
2009537311.tif 000004
【図３】
2009537311.tif 000005
【図４】
2009537311.tif 000006
【国際調査報告】
2009537311.tif 000007
2009537311.tif 000008
2009537311.tif 000009
2009537311.tif 000010
2009537311.tif 000011
2009537311.tif 000012
2009537311.tif 000013
2009537311.tif 000014
2009537311.tif 000015
2009537311.tif 000016